(57)【要約】【課題】従来、複数の部署が利用する大部屋の場合、他の部署を含め全ての人の動向を把握する必要があるという課題があった。【解決手段】個人ＩＤ番号を入力する個人識別装置３と、複数の個人ＩＤ番号、前記個人ＩＤ番号に対応する部署から構成された個人情報２１と、部屋、前記部屋を利用する複数の部署から構成された部屋利用情報２２と、部屋単位の部署毎に入退室データが記憶される入退室情報２３と、入力個人ＩＤ番号が有効な場合は前記個人情報から部署を読み出し、この部署が前記部屋利用情報に存在する場合は該当する部屋の該当部署の前記入退室情報を更新し、前記入退室情報の該当する部屋の全ての部署が退室状態である場合は最終退室状態と判断して該当する部屋の最終退室機能を実施させる最終退室判断手段２４とを備えた。【効果】利用者個人が最終退室者かどうか確認する必要がなく、運用性、操作性の向上が図れる。【選択図】　　　　図１
2004054518.tif 000002
【特許請求の範囲】
【請求項１】
入退室操作に基づき個人ＩＤ番号を入力する個人識別装置と、
複数の個人ＩＤ番号、及び前記個人ＩＤ番号に対応する部署から構成されている個人情報ファイルと、
部屋、及び前記部屋を利用する複数の部署から構成されている部屋利用情報ファイルと、
部屋単位の部署毎に入退室データが記憶される入退室情報テーブルと、
前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の該当部署の前記入退室情報テーブルを更新し、前記入退室情報テーブルの該当する部屋の全ての部署が退室状態である場合は最終退室状態と判断して該当する部屋の最終退室機能を実施させる最終退室判断手段と
を備えたことを特徴とする入退室管理装置。
【請求項２】
入退室操作に基づき個人ＩＤ番号を入力する個人識別装置と、
複数の個人ＩＤ番号、及び前記個人ＩＤ番号に対応する部署から構成されている個人情報ファイルと、
部屋、及び前記部屋を利用する複数の部署から構成されている部屋利用情報ファイルと、
部屋単位に前記入退室操作をカウントするための在室カウンタと、
前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の在室カウンタをカウントアップ又はカウントダウンして更新し、前記該当する部屋の在室カウンタが零である場合は最終退室状態と判断して該当する部屋の最終退室機能を実施させる最終退室判断手段と
を備えたことを特徴とする入退室管理装置。
【請求項３】
前記個人情報ファイルから部署を削除し、
前記個人識別装置は、前記個人ＩＤ番号に対応する部署を入力し、
前記最終退室判断手段は、前記個人情報ファイルから前記個人ＩＤ番号に対応する部署を読み出す代わりに、前記個人識別装置により入力した前記個人ＩＤ番号に対応する部署を使用する
ことを特徴とする請求項１又は２記載の入退室管理装置。
【請求項４】
前記部屋利用情報ファイルは、部署に対応した日付又は曜日をさらに有し、
前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した日付又は曜日である場合を、有効な入退室操作とする
ことを特徴とする請求項１、２又は３記載の入退室管理装置。
【請求項５】
前記部屋利用情報ファイルは、部署に対応した時間帯をさらに有し、
前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した時間帯である場合を、有効な入退室操作とする
ことを特徴とする請求項１から請求項４までのいずれかに記載の入退室管理装置。
【発明の詳細な説明】
【０００１】
【発明の属する技術分野】
この発明は、最終退室機能（照明制御、空調制御、侵入監視制御等）を実現するための最終退室判断ロジックに特徴を有する、個人識別装置を備えた入退室管理装置に関するものである。
【０００２】
【従来の技術】
従来の入退室管理装置では、最終退室機能を実現する場合、部屋内の全ての人がいないのを確認し、自分が最終退室者であることを認識した上で最終退室操作を行うものであった。
【０００３】
例えば、特開平７−２９３０７０号公報に示された従来の入退室管理装置では、最初に入室操作を行い、最後に最終退室操作を行う。この最終退室操作により部屋情報に基づいて錠制御を行う。
【０００４】
【発明が解決しようとする課題】
上述したような従来の入退室管理装置では、自分が最終退室者であるかどうか部屋内を全てチェックして回る必要があり、複数の部署の人が利用する大部屋の場合には、他の部署の人を含め全ての人の動向を把握する必要があるという問題点があった。
【０００５】
この発明は、前述した問題点を解決するためになされたもので、ユーザが部屋を利用できる部署を複数登録することができ、また、使用できる日付、曜日を設定することができ、さらに、退室操作できる時間帯まで設定することができることで、自分の部署の利用者状況のみ把握するだけで、個人識別装置での入退室操作を行うことができ、自動的に最終退室機能を実現することができる入退室管理装置を得ることを目的とする。
【０００６】
また、この発明は、前述した問題点を解決するためになされたもので、他の人の状況を意識せず、個人識別装置での入退室操作のみで自動的に最終退室機能を実現することができる入退室管理装置を得ることを目的とする。
【０００７】
【課題を解決するための手段】
この発明の請求項１に係る入退室管理装置は、入退室操作に基づき個人ＩＤ番号を入力する個人識別装置と、複数の個人ＩＤ番号、及び前記個人ＩＤ番号に対応する部署から構成されている個人情報ファイルと、部屋、及び前記部屋を利用する複数の部署から構成されている部屋利用情報ファイルと、部屋単位の部署毎に入退室データが記憶される入退室情報テーブルと、前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の該当部署の前記入退室情報テーブルを更新し、前記入退室情報テーブルの該当する部屋の全ての部署が退室状態である場合は最終退室状態と判断して該当する部屋の最終退室機能を実施させる最終退室判断手段とを備えたものである。
【０００８】
この発明の請求項２に係る入退室管理装置は、入退室操作に基づき個人ＩＤ番号を入力する個人識別装置と、複数の個人ＩＤ番号、及び前記個人ＩＤ番号に対応する部署から構成されている個人情報ファイルと、部屋、及び前記部屋を利用する複数の部署から構成されている部屋利用情報ファイルと、部屋単位に前記入退室操作をカウントするための在室カウンタと、前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の在室カウンタをカウントアップ又はカウントダウンして更新し、前記該当する部屋の在室カウンタが零である場合は最終退室状態と判断して該当する部屋の最終退室機能を実施させる最終退室判断手段とを備えたものである。
【０００９】
この発明の請求項３に係る入退室管理装置は、前記個人情報ファイルから部署を削除し、前記個人識別装置は、前記個人ＩＤ番号に対応する部署を入力し、前記最終退室判断手段は、前記個人情報ファイルから前記個人ＩＤ番号に対応する部署を読み出す代わりに、前記個人識別装置により入力した前記個人ＩＤ番号に対応する部署を使用するものである。
【００１０】
この発明の請求項４に係る入退室管理装置は、前記部屋利用情報ファイルが、部署に対応した日付又は曜日をさらに有し、前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した日付又は曜日である場合を、有効な入退室操作とするものである。
【００１１】
この発明の請求項５に係る入退室管理装置は、前記部屋利用情報ファイルが、部署に対応した時間帯をさらに有し、前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した時間帯である場合を、有効な入退室操作とするものである。
【００１２】
【発明の実施の形態】
実施の形態１．
この発明の実施の形態１に係る入退室管理装置について図面を参照しながら説明する。図１は、この発明の実施の形態１に係る入退室管理装置の構成を示す図である。なお、各図中、同一符号は同一又は相当部分を示す。
【００１３】
図１において、この発明の実施の形態１に係る入退室管理装置は、センター端末１と、コントローラ２と、そのコントローラ２に接続され、入室ボタンと退室ボタンが設けられ、部屋単位で設置され、ＩＤカード等から個人ＩＤ番号を入力する個人識別装置３と、照明・空調・侵入監視制御盤４とから構成されている。なお、コントローラ２には、複数の個人識別装置３が接続されている。
【００１４】
また、同図において、１１は個人情報（ファイル）、１２は部屋利用情報（ファイル）である。また、２１は認証用個人情報（ファイル）、２２は認証用部屋利用情報（ファイル）、２３は入退室情報（テーブル）、２４は最終退室機能等を実現するための最終退室判断手段（プログラム）である。さらに、３１はＩＤ入力装置、３２はＩＤ照合回路である。
【００１５】
コントローラ２は、センター端末１より個人情報１１、及び部屋利用情報１２を入力する。その入力データがコントローラ２の認証用個人情報２１、及び認証用部屋利用情報２２として記憶される。なお、個人情報１１、及び部屋利用情報１２は、センター端末１によりユーザが設定入力する。
【００１６】
個人識別装置３のＩＤ入力装置３１から個人を識別するためのＩＤ番号（コード）が入力され、コントローラ２がＩＤ照合回路３２を通じて入力されたＩＤ番号と予め登録されている情報（認証用個人情報２１と認証用部屋利用情報２２）と照合する。なお、ＩＤ照合回路３２は、例えば、入力されたＩＤカードが所定のカードか否か等を照合する。
【００１７】
その照合結果に基づいて、コントローラ２は、該当する部屋の各部署の入退室情報２３を更新し、更新された入退室情報２３により該当する部屋の利用可能な部署全てが退室状態かにより最終退室操作か否かを判断する。最終退室操作と判断した時点で、照明・空調・侵入監視制御盤４に対し、それぞれ最終退室時の制御を行う。
【００１８】
図２は、この発明の実施の形態１に係る入退室管理装置の認証用個人情報のデータ構成を示す図である。
【００１９】
図２に示すように、認証用個人情報２１は、「個人ＩＤ番号」、「有効期限」、「部署」等から構成されている。
【００２０】
図３は、この発明の実施の形態１に係る入退室管理装置の認証用部屋利用情報のデータ構成を示す図である。
【００２１】
図３に示すように、認証用部屋利用情報２２Ａは、「部屋」、「部署１」、「部署２」、「部署３」、「部署４」等から構成されている。
【００２２】
図６は、この発明の実施の形態１に係る入退室管理装置の入退室情報のデータ構成を示す図である。
【００２３】
図６に示すように、入退室情報２３は、「部屋」、「部署１」、「部署２」、・・・、「部署Ｎ」から構成されている。
【００２４】
つぎに、この実施の形態１に係る入退室管理装置の動作について図面を参照しながら説明する。
【００２５】
図７は、この発明の実施の形態１に係る入退室管理装置の動作を示すフローチャートである。
【００２６】
ステップ１０１において、コントローラ２の最終退室判断手段２４は、個人識別装置３からの情報に基づき、個人識別（認証）操作ありかをチェックする。すなわち、例えば、個人識別装置３の入室ボタンや退室ボタン、ＩＤ入力装置３１が操作されたかを判断する。
【００２７】
次に、ステップ１０２において、個人識別操作がある場合には、入室操作か退室操作かを判断する。すなわち、個人識別装置３の入室ボタンか退室ボタンが操作されたかを判断する。入室操作の場合は、ステップ１１０へ進み、退室操作の場合には、次のステップ１０３へ進む。
【００２８】
次に、ステップ１０３において、認証用個人情報２１を検索し、認証操作が有効な操作かチェックする。すなわち、入力された個人ＩＤ番号が、図２に示す認証用個人情報２１の「個人ＩＤ番号」に該当するものがあるか、入力された有効期限が、認証用個人情報２１の「有効期限」内のものかを判断する。認証用個人情報２１内に該当する個人ＩＤ番号があり、有効期限内のものである場合は、認証用個人情報２１の該当する「部署」から部署コードを読み出し、次のステップ１０４へ進む。認証用個人情報２１内に該当する個人ＩＤ番号がなかったり、有効期限外のものである場合には、ステップ１０１へ戻る。
【００２９】
次に、ステップ１０４において、有効な操作であれば、認証用個人情報２１の該当する「部署」から取り出した部署コードが、図３に示す部屋利用情報２２Ａ内にその該当する部署コードが存在するかチェックする。該当する部署コードが存在する場合は、ステップ１０７へ進む。該当する部署コードが存在しない場合には、ステップ１０１へ戻る。
【００３０】
次に、ステップ１０７において、上記チェックがＯＫであれば、該当する部屋の各部署の入退室情報２３を入室又は退室操作に基づき更新する。この入退室情報２３には、図６に示すように、部屋単位で各部署の入退室状態が記録されている。例えば、退室操作の場合は、該当する部屋の該当部署に退室データを書き込む。操作毎にデータを書き込んでもよいし、書き込むデータが同じときには書き込み（更新）を止めてもよい。
【００３１】
次に、ステップ１０８において、更新された該当する部屋の各部署の入退室状態をチェックし、全ての利用可能な部署が退室状態で、最終退室状態かチェックする。すなわち、該当する部屋の全ての部署が退室状態である場合は最終退室状態と判断し、次のステップ１０９へ進む。最終退室状態でない場合には、ステップ１０１へ戻る。
【００３２】
そして、ステップ１０９において、全ての利用可能な部署が退室状態の場合には、照明・空調・侵入監視制御盤４に対して、最終退室の制御を行うように指示を出す。すなわち、該当する部屋の照明ＯＦＦ、空調ＯＦＦ、侵入監視ＯＮ等の最終退室機能を行う。その後、ステップ１０１へ戻る。
【００３３】
ステップ１１０において、認証用個人情報２１を検索し、認証操作が有効な操作かチェックする。すなわち、入力された個人ＩＤ番号が、図２に示す認証用個人情報２１の「個人ＩＤ番号」に該当するものがあるか、入力された有効期限が、認証用個人情報２１の「有効期限」内のものかを判断する。認証用個人情報２１内に該当する個人ＩＤ番号があり、有効期限内のものである場合は、認証用個人情報２１の該当する「部署」から部署コードを読み出し、次のステップ１１１へ進む。認証用個人情報２１内に該当する個人ＩＤ番号がなかったり、有効期限外のものである場合には、ステップ１０１へ戻る。
【００３４】
次に、ステップ１１１において、有効な操作であれば、認証用個人情報２１の該当する「部署」から取り出した部署コードが、図３に示す部屋利用情報２２Ａ内にその該当する部署コードが存在するかチェックする。該当する部署コードが存在する場合は、ステップ１０７へ進む。該当する部署コードが存在しない場合には、ステップ１０１へ戻る。
【００３５】
なお、ステップ１０７の入退室情報２３の更新前に、入室操作の場合は、該当する部屋の全ての部署が退室データのときには、該当する部屋の照明ＯＮ、空調ＯＮ、侵入監視ＯＦＦ等の最初入室機能を行ってもよい。
【００３６】
また、入退室の条件として、「日・曜日」を付加してもよい。
【００３７】
この実施の形態１に係る入退室管理装置の入退室の条件として「日・曜日」を付加した動作について図面を参照しながら説明する。
【００３８】
図４は、この発明の実施の形態１に係る入退室管理装置の認証用部屋利用情報の別のデータ構成を示す図である。
【００３９】
図４に示すように、認証用部屋利用情報２２Ｂは、「部屋」、「部署１」、「日・曜日」、「部署２」、「日・曜日」等から構成されている。
【００４０】
ステップ１０４あるいはステップ１１１の次のステップ１０５、１１２において、コントローラ２の最終退室判断手段２４は、該当する部署が存在すれば、現在時刻が有効な日・曜日かをチェックする。すなわち、認証用個人情報２１の該当する「部署」から取り出した部署コードが、図４に示す部屋利用情報２２Ｂ内にその該当する部署コードが存在し、現在時刻が部屋利用情報２２Ｂ内の該当する「日・曜日」の日付、あるいは曜日であるかチェックする。該当する日付、曜日である場合は、ステップ１０７へ進む。該当する日付、曜日でない場合には、ステップ１０１へ戻る。
【００４１】
また、入退室の条件として、さらに「時間帯」を付加してもよい。
【００４２】
この実施の形態１に係る入退室管理装置の入退室の条件として「時間帯」を付加した動作について図面を参照しながら説明する。
【００４３】
図５は、この発明の実施の形態１に係る入退室管理装置の認証用部屋利用情報の別のデータ構成を示す図である。
【００４４】
図５に示すように、認証用部屋利用情報２２Ｃは、「部屋」、「部署１」、「日・曜日」、「時間帯」、「部署２」等から構成されている。
【００４５】
ステップ１０４又はステップ１１１の次、あるいはステップ１０５又はステップ１１２の次のステップ１０６、１１３において、コントローラ２の最終退室判断手段２４は、該当する部署が存在すれば、現在時刻が有効な時間帯かチェックする。すなわち、認証用個人情報２１の該当する「部署」から取り出した部署コードが、図５に示す部屋利用情報２２Ｃ内にその該当する部署コードが存在し、現在時刻が部屋利用情報２２Ｃ内の該当する「日・曜日」の日付、あるいは曜日であり、現在時刻が部屋利用情報２２Ｃ内の該当する「時間帯」の時間帯であるかチェックする。該当する時間帯である場合は、ステップ１０７へ進む。該当する時間帯でない場合には、ステップ１０１へ戻る。
【００４６】
つづいて、この実施の形態１に係る入退室管理装置の動作について別の例を図８を参照しながら説明する。
【００４７】
図８は、この発明の実施の形態１に係る入退室管理装置の動作の別の例を示すフローチャートである。
【００４８】
コントローラ２の最終退室判断手段２４は、ステップ１０７の入退室情報２３の代わりに、該当する部屋の在室カウンタを入室又は退室操作によりカウントアップ又はカウントダウンして更新する。その他の処理は、図７に示す処理と同様である。
【００４９】
つまり、部屋単位で在室カウンタを用意し、個人識別装置３により入力された個人ＩＤ番号等が有効な場合で、この場合には認証用個人情報２１から個人ＩＤ番号に対応する部署を読み出し、この読み出した部署が部屋利用情報２２Ａに存在する場合は、該当する部屋の在室カウンタを入室操作によりカウントアップ（＋１）（ステップ２０１〜２０２）し、退室操作によりカウントダウン（−１）（ステップ２０１、２０４）する。更新した結果、在室カウンタが零の場合には、照明・空調・侵入監視制御盤４に対して、最終退室の制御を行うように指示を出す（ステップ２０５〜２０６）。在室カウンタが零でない場合は、最終退室制御を行わない。
【００５０】
なお、個人識別装置３には、部署コード等が入力できるテンキーを設け、個人情報２１から「部署」を無くしてもよい。
【００５１】
本発明は、最終退室機能そのものではなく、最終退室状態か否かを判断するロジックに関するものであり、最終退室時の照明・空調・侵入監視機器の制御に対しては規定しない。
【００５２】
この発明の実施の形態１に係る入退室管理装置は、ユーザが利用者の個人情報および部屋利用情報をセンター端末１で設定変更することで、各部屋の利用可能な部署および個人の設定ができるとともに、各部屋に取り付けられた個人識別装置３での利用者の入退室操作により自動的に最終退室機能を実現でき、従来のように部屋全体の利用者のすべての動向を確認する必要が無くなる。
【００５３】
【発明の効果】
この発明の請求項１に係る入退室管理装置は、以上説明したとおり、入退室操作に基づき個人ＩＤ番号を入力する個人識別装置と、複数の個人ＩＤ番号、及び前記個人ＩＤ番号に対応する部署から構成されている個人情報ファイルと、部屋、及び前記部屋を利用する複数の部署から構成されている部屋利用情報ファイルと、部屋単位の部署毎に入退室データが記憶される入退室情報テーブルと、前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の該当部署の前記入退室情報テーブルを更新し、前記入退室情報テーブルの該当する部屋の全ての部署が退室状態である場合は最終退室状態と判断して該当する部屋の最終退室機能を実施させる最終退室判断手段とを備えたので、利用者個人が最終退室者かどうか確認する必要がなく、運用性、操作性の向上が図れ、大部屋利用のセキュリティ性の高い大規模ビル等に対応できるという効果を奏する。
【００５４】
この発明の請求項２に係る入退室管理装置は、以上説明したとおり、入退室操作に基づき個人ＩＤ番号を入力する個人識別装置と、複数の個人ＩＤ番号、及び前記個人ＩＤ番号に対応する部署から構成されている個人情報ファイルと、部屋、及び前記部屋を利用する複数の部署から構成されている部屋利用情報ファイルと、部屋単位に前記入退室操作をカウントするための在室カウンタと、前記個人情報ファイルに基づいて前記個人識別装置により入力された個人ＩＤ番号が有効な場合は前記個人情報ファイルから前記個人ＩＤ番号に対応する部署を読み出し、この読み出した部署が前記部屋利用情報ファイルに存在する場合は前記入退室操作に応じて該当する部屋の在室カウンタをカウントアップ又はカウントダウンして更新し、前記該当する部屋の在室カウンタが零である場合は最終退室状態と判断して該当する部屋の最終退室機能を実施させる最終退室判断手段とを備えたので、利用者個人が最終退室者かどうか確認する必要がなく、運用性、操作性の向上が図れ、大部屋利用のセキュリティ性の高い大規模ビル等に対応できるという効果を奏する。
【００５５】
この発明の請求項３に係る入退室管理装置は、以上説明したとおり、前記個人情報ファイルから部署を削除し、前記個人識別装置は、前記個人ＩＤ番号に対応する部署を入力し、前記最終退室判断手段は、前記個人情報ファイルから前記個人ＩＤ番号に対応する部署を読み出す代わりに、前記個人識別装置により入力した前記個人ＩＤ番号に対応する部署を使用するので、利用者個人が最終退室者かどうか確認する必要がなく、運用性、操作性の向上が図れ、大部屋利用のセキュリティ性の高い大規模ビル等に対応できるという効果を奏する。
【００５６】
この発明の請求項４に係る入退室管理装置は、以上説明したとおり、前記部屋利用情報ファイルが、部署に対応した日付又は曜日をさらに有し、前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した日付又は曜日である場合を、有効な入退室操作とするので、利用者個人が最終退室者かどうか確認する必要がなく、運用性、操作性の向上が図れるという効果を奏する。
【００５７】
この発明の請求項５に係る入退室管理装置は、以上説明したとおり、前記部屋利用情報ファイルが、部署に対応した時間帯をさらに有し、前記最終退室判断手段は、前記個人情報ファイルから読み出した個人ＩＤ番号に対応する部署が前記部屋利用情報ファイルに存在する場合で、かつ現在時刻が前記部屋利用情報の前記部署に対応した時間帯である場合を、有効な入退室操作とするので、利用者個人が最終退室者かどうか確認する必要がなく、運用性、操作性の向上が図れるという効果を奏する。
【図面の簡単な説明】
【図１】この発明の実施の形態１に係る入退室管理装置の構成を示す図である。
【図２】この発明の実施の形態１に係る入退室管理装置の認証用個人情報のデータ構成を示す図である。
【図３】この発明の実施の形態１に係る入退室管理装置の認証用部屋利用情報のデータ構成を示す図である。
【図４】この発明の実施の形態１に係る入退室管理装置の認証用部屋利用情報の別のデータ構成を示す図である。
【図５】この発明の実施の形態１に係る入退室管理装置の認証用部屋利用情報の別のデータ構成を示す図である。
【図６】この発明の実施の形態１に係る入退室管理装置の入退室情報のデータ構成を示す図である。
【図７】この発明の実施の形態１に係る入退室管理装置の動作を示すフローチャートである。
【図８】この発明の実施の形態１に係る入退室管理装置の別の動作を示すフローチャートである。
【符号の説明】
１　センター端末、２　コントローラ、３　個人識別装置、４　照明・空調・侵入監視制御盤、１１　個人情報、１２　部屋利用情報、２１　認証用個人情報、２２、２２Ａ、２２Ｂ、２２Ｃ　認証用部屋利用情報、２３　入退室情報、２４　最終退室判断手段、３１　ＩＤ入力装置、３２　ＩＤ照合回路。
【図１】
2004054518.tif 000003
【図２】
2004054518.tif 000004
【図３】
2004054518.tif 000005
【図４】
2004054518.tif 000006
【図５】
2004054518.tif 000007
【図６】
2004054518.tif 000008
【図７】
2004054518.tif 000009
【図８】
2004054518.tif 000010